(57)【特許請求の範囲】
【請求項１】
電話装置であって、
当該電話装置が送話側電話装置であるとき、受話側電話装置が音量調整に対応可能であるか否か、及び対応可能である場合に前記受話側電話装置の快適受話音量について、前記受話側電話装置に対し通話開始前に照会する照会部と、
当該電話装置が前記受話側電話装置であるとき、受話側電話装置が音量調整に対応可能であるか否か、及び対応可能である場合に前記送話側電話装置の快適受話音量について、前記送話側電話装置に対し通話開始前に報知する報知部と、
当該電話装置が前記受話側電話装置であるとき、自らの実受話音量をスピーカの直前で一定時間において測定する受話音量測定部と、
当該電話装置が前記受話側電話装置であるとき、前記快適受話音量の上限又は下限になっているにもかかわらず音量調整ボタンが操作されているときは、前記操作を前記送話側電話装置に通知し、
前記送話側電話装置が前記快適受話音量を超えて自らの送話音量を調整することを特徴とする電話装置。
【請求項２】
さらに、当該電話装置が前記受話側電話装置であるとき、測定された自らの前記実受話音量を平均化して前記送話側電話装置に定期的に通知する通知部と、を備えることを特徴とする請求項１に記載の電話装置。
【発明の詳細な説明】
【技術分野】
【０００１】
本発明は、電話装置に関する。
【背景技術】
【０００２】
通常、電話装置には、相手の通話音量（受話音量）を自分にとって聞きやすい音量に調整する受話音量調整機能が設けられている。例えば、特許文献１に、ダイヤル番号と、受話音量及び送話音量を組にしてメモリに記憶しておき、通話を行う際にダイヤル番号を入力すると、メモリに記憶されている受話音量と送話音量に調整されて通話ができる電話装置の技術が記載されている。
【０００３】
特許文献１に記載された技術によれば、送話音量及び受話音量を、メモリに記憶された過去の通話の自身の電話装置の音量を基準に快適化するものであり、受話側（受話側電話装置）の受話音量が快適であるか否かに基づき送話側（送話側電話装置）の送話音量を調整するものではない。したがって、受話側電話装置の受話音量が受話側にとって快適か否かを判断して送話側電話装置の送話音量を調整することができる電話装置が求められている。
【先行技術文献】
【特許文献】
【０００４】
【特許文献１】特開平７−３１２６３９号公報
【発明の概要】
【発明が解決しようとする課題】
【０００５】
本発明は上記した課題を解決するためになされたものであり、受話側電話装置の受話音量が受話側にとって快適か否かを判断して送話側電話装置の送話音量を調整することができる電話装置を提供することを目的とする。
【課題を解決するための手段】
【０００６】
上記した課題を解決するために、（１）本発明に係る態様は、電話装置であって、当該電話装置が送話側電話装置であるとき、受話側電話装置が音量調整に対応可能であるか否か、及び対応可能である場合に前記受話側電話装置の快適受話音量について、前記受話側電話装置に対し通話開始前に照会する照会部と、当該電話装置が前記受話側電話装置であるとき、受話側電話装置が音量調整に対応可能であるか否か、及び対応可能である場合に前記送話側電話装置の快適受話音量について、前記送話側電話装置に対し通話開始前に報知する報知部と、当該電話装置が前記受話側電話装置であるとき、自らの実受話音量をスピーカの直前で一定時間において測定する受話音量測定部と、当該電話装置が前記受話側電話装置であるとき、前記快適受話音量の上限又は下限になっているにもかかわらず音量調整ボタンが操作されているときは、前記操作を前記送話側電話装置に通知し、前記送話側電話装置が前記快適受話音量を超えて自らの送話音量を調整することを特徴とする。
【０００７】
（２）上記（１）に記載の電話装置において、さらに、当該電話装置が前記受話側電話装置であるとき、測定された自らの前記実受話音量を平均化して前記送話側電話装置に定期的に通知する通知部と、を備えてもよい。
【発明の効果】
【００１１】
本発明によれば、受話側電話装置の受話音量が受話側にとって快適か否かを判断して送話側電話装置の送話音量を調整することができる電話装置を提供することができる。
【図面の簡単な説明】
【００１２】
【図１】本発明の実施の形態に係る電話装置の構成を示すブロック図である。
【図２】本発明の実施の形態に係る電話装置の動作シーケンス図である。
【発明を実施するための形態】
【００１３】
（実施形態の構成）
以下、本発明の実施の形態（以下、単に実施形態という）に係る電話装置について図面を参照しながら詳細に説明する。なお実施形態の説明の全体を通して同じ要素には同じ番号または符号を付している。
【００１４】
本実施形態に係る電話装置１０は、メソッド（要求）とレスポンスコード（応答）のメッセージを交換するＳＩＰ（Ｓｅｓｓｉｏｎ  Ｉｎｉｔｉａｔｉｏｎ  Ｐｒｏｔｏｃｏｌ）にしたがい、セッションの確立、変更、切断（終了）制御を行うもので、例えば、図２に示すように、ＩＰ交換網７０を介して通話が可能なＳＩＰ端末である、送話側電話装置１０ａ、あるいは受話側電話装置１０ｂとして動作する。
【００１５】
このため、本実施形態に係る電話装置１０は、図１に示すＬＡＮ（Ｌｏｃａｌ  Ａｒｅａ  Ｎｅｔｗｏｒｋ）６０に接続するためにＬＡＮインタフェース（図示省略）を内蔵し、周辺機器として、音量調整ボタン２０、ＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｅｄ  Ｄｉｏｄｅ）等の表示器３０、スピーカ４０及びマイク５０を備えている。音量調整ボタン２０は、ユーザ操作によりＵＰ／ＤＯＷＮ指示を行う。表示器３０には、快適受話音量との対比結果が表示される。
【００１６】
本実施形態に係る電話装置１０は、電話装置１０が送話側電話装置である場合に、受話側電話装置が音量調整に対応可能であるか否か、及び対応可能である場合に受話側電話装置の快適受話音量について、受話側電話装置に対し通話開始前に照会する。また、受話側電話装置である場合に、受話側電話装置が音量調整に対応可能であるか否か、及び対応可能である場合に送話側電話装置の快適受話音量について、送話側電話装置に対し通話開始前に報知し、そして、自らの実受話音量をスピーカの直前で一定時間において測定する。
【００１７】
したがって、本実施形態に係る電話装置１０は、シグナリング制御部１１と、設定記憶部１２と、パケット送受信部１３と、受話音量測定部１４と、受話音量値送信部１５と、受話音量調整部１６と、送話音量調整部１７と、音声送受信部１８と、ボタン検出部１９と、快適度判定部２１と、を含む。
【００１８】
シグナリング制御部１１は、ＳＩＰにしたがうメッセージのやりとりを解析し、本実施形態に係る電話装置１０のセッションの確立、変更、切断のための制御を行う。このため、シグナリング制御部１１は、照会部１１１と、報知部１１２と、通知部１１３と、切断部１１４と、を含む。
【００１９】
照会部１１１は、電話装置１０が送話側電話装置である場合に、受話側電話装置が音量調整に対応可能であるか否か、及び対応可能である場合に受話側電話装置の快適受話音量について、受話側電話装置に対し通話開始前に照会する。このとき、照会部１１１は、ＳＩＰプロトコルで規定されたセッション開始要求であるＩＮＶＩＴＥメソッドを使用し、ＩＮＶＩＴＥ要求のメッセージボディ内に、快適受話音量範囲“ａ＝ｒｅｃｖｌｅｖｅｌ”を付与して送信する。ここでは、ａとして、例えば、６０〜６５［ｄＢ］の快適受話音量範囲が設定される。
【００２０】
報知部１１２は、電話装置１０が受話側電話装置である場合に、当該受話側電話装置が音量調整に対応可能であるか否か、及び対応可能である場合に送話側電話装置の快適受話音量について、送話側電話装置に対し通話開始前に報知する。このとき、報知部１１２は、ＳＩＰで規定されたＩＮＶＩＴＥ要求に対する成功応答コードである、「２００  ＯＫ」のメッセージボディ内に“ａ＝ｒｅｃｖｌｅｖｅｌ”を付与して送信する。本実施形態に係る電話装置１０（送話側電話装置）は、「２００  ＯＫ」のメッセージボディ内に“ａ＝ｒｅｃｖｌｅｖｅｌ”が付与されていない場合に、受話側電話装置が音量調整に対応不可能であると判定する。
【００２１】
通知部１１３は、電話装置１０が受話側電話装置であるとき、後述する受話音量測定部１４で測定された自らの実受話音量を平均化して送話側電話装置に定期的に通知する。このとき、通知部１１３は、ＳＩＰで規定されたセッション内での情報交換要求であるＩＮＦＯメソッドを使用し、測定された実受話音量“ｒｅｃｖｌｅｖｅｌ＝ｘｙ”を通知する。ここで、ｘｙは、受話側で測定した受話音量の平均値である。
【００２２】
通知部１１３は、電話装置１０が送話側電話装置であるとき、後述する快適度判定部２１が、受話側電話装置の快適受話音量と実受話音量とを対比し、受話音量が快適受話音量範囲となるように調整した受話音量を受話側電話装置へ通知する。このとき、通知部１１３は、ＳＩＰで規定されたセッション内での情報交換要求であるＩＮＦＯメソッドを使用し、調整した受話音量“ｒｅｃｖｌｅｖｅｌ＝ｘｙ”を通知する。
【００２３】
通知部１１３は、電話装置１０が受話側電話装置であるとき、快適受話音量の上限又は下限になっているにもかかわらず音量調整ボタン２０が操作されているときは、そのＵＰ／ＤＯＷＮを送話側電話装置に通知する。このとき、通知部１１３は、ＳＩＰで規定されたセッション内での情報交換要求であるＩＮＦＯメソッドを使用し、調整した受話音量“ｒｅｃｖｌｅｖｅｌ＝ＵＰ”又は“ｒｅｃｖｌｅｖｅｌ＝ＤＯＷＮ”を通知する。
【００２４】
切断部１１４は、電話装置１０が受話側電話装置であるとき、送話側電話装置に対し、ＳＩＰプロトコルで規定されたＢＹＥメソッドを使用してセッションの終了を通知する。
【００２５】
設定記憶部１２には、シグナリング制御部１１により通知される快適受話音量範囲が記憶される。パケット送受信部１３は、シグナリング制御部１１とＬＡＮ６０との間で交換される信号、及び音声送受信部１８とＬＡＮ６０との間で交換される音声を仲介する。
【００２６】
受話音量測定部１４は、自らの実受話音量をスピーカ４０の直前で一定時間において測定し、その平均受話音量を算出し、受話音量値送信部１５を介してパケット送受信部１３へ出力する。
【００２７】
受話音量調整部１６は、シグナリング制御部１１による制御、あるいは音量調整ボタン２０によるＵＰ／ＤＯＷＮ指示に基づき受話音量を調整してスピーカ４０の駆動を制御する。送話音量調整部１７は、シグナリング制御部１１による制御、あるいは音量調整ボタン２０によるＵＰ／ＤＯＷＮ指示に基づき送話音量を調整してマイク５０の駆動を制御する。送話音量調整部１７は、電話装置１０が受話側電話装置であって、快適受話音量の上限又は下限になっているにもかかわらず音量調整ボタン２０が操作されている場合、その快適受話音量を超えて自らの送話音量を調整してもよい。また、電話装置１０が送話側電話装置であって、自らの送話音量調整可能範囲で調整できない場合、自らの送話音量調整可能範囲を上限又は下限を超えて調整してもよい。
【００２８】
音声送受信部１８は、マイク５０を介して集音されるアナログ入力音声信号を符号化し、パケット送受信部１３から出力されるデジタル音声信号をアナログ音声信号に復号化してスピーカ４０へ出力する、音声ＣＯＤＥＣである。ボタン検出部１９は、ユーザによる音量調整ボタン２０のＵＰ／ＤＯＷＮ指示を検出して快適度判定部２１による快適度の判定を制御する。
【００２９】
快適度判定部２１は、電話装置１０が送話側電話装置であるとき、受話側電話装置の快適受話音量と実受話音量とを対比し、受話音量が快適受話音量範囲となるように送話音量調整部１７を制御する。あるいはボタン検出部１９により検出される音量調整ボタン２０の設定による設定音量と、受話側電話装置の快適受話音量と実受話音量とを対比し、受話音量が快適受話音量範囲となるように送話音量調整部１７を制御する。
【００３０】
（実施形態の動作）
以下、図２の動作シーケンス図を参照しながら、図１に示す本実施形態に係る電話装置１０の動作について詳細に説明する。以下に説明する本実施形態に係る電話装置１０は、ＩＰ交換網７０に接続されるものとし、送話側電話装置１０ａ、及び受話側電話装置１０ｂとして動作するものとして説明する。
【００３１】
送話側電話装置１０ａは、受話側電話装置１０ｂに対しＩＮＶＩＴＥメソッドによるセッション開始要求を発行する（ステップＳ１０１）。ＩＮＶＩＴＥメソッドによるセッション開始要求（発信）は、シグナリング制御部１１の照会部１１１により発行される。ここで、ＩＮＶＩＴＥのメッセージボディに、快適受話音量レベル“ａ＝ｒｅｃｖｌｅｖｅｌ”が付与されていることは上記した通りである。この快適受話音量レベルａは、設定記憶部１２に保持される。
【００３２】
快適受話音量レベルａを含むセッション開始要求を受信した受話側電話装置１０ｂは、成功応答である「２００  ＯＫ」レスポーンスコードのメッセージボディに、受信したａ＝ｒｅｃｖｌｅｖｅｌを付与して応答することにより、自身が受話音量調整機能に対応した受話側電話装置１０ｂであることを表明する（ステップＳ１０２）。成功応答である「２００  ＯＫ」レスポーンスコードにより自身が音量調整機能に対応した受話側電話装置１０ｂであることの表明は、シグナリング制御部１１の報知部１１２が行う。
【００３３】
「２００  ＯＫ」応答コードに“ａ＝ｒｅｃｖｌｅｖｅｌ”が付与されていない場合、送話側電話装置１０ａは、受話側電話装置１０ｂが受信音量調整機能に対応していない端末であると認識して、以下に説明する手続きを実行しない。
【００３４】
成功応答により通話セッションが確立され、以降、ＢＹＥメソッドにより電話回線が切断されるまで送話側電話装置１０ａと受話側電話装置１０ｂとの間で通話が実行される（ステップＳ１０３）。通話中、受話側電話装置１０ｂは、受話音量測定部１４が、自らの実受話音量をスピーカ４０の直前で、例えば、３秒間等の一定時間において測定し、その平均受話音量を算出して送話側電話装置１０ａに通知する。この通知は、シグナリング制御部１１の通知部１１３が、ＳＩＰプロトコルで規定されたセッション内での情報交換要求であるＩＮＦＯメソッドを使用し、測定された実受話音量“ｒｅｃｖｌｅｖｅｌ＝ｘｙ”を通知する。
【００３５】
一方、測定により得られた平均受話音量を受信した送話側電話装置１０ａは、快適度判定部２１が、その平均受話音量と、受話側電話装置１０ｂの快適受話音量範囲とを対比（比較）し、受話音量が快適受話音量範囲となるように送話音量調整部１７を制御して送話音量を自動調整する。このとき、受話音量が快適受話音量範囲となるように調整した受話音量は、シグナリング制御部１１（通知部１１３）が、ＳＩＰプロトコルで規定されたセッション内での情報交換要求であるＩＮＦＯメソッドを使用し、調整した受話音量“ｒｅｃｖｌｅｖｅｌ＝ｘｙ”を通知する。
【００３６】
上記したシグナリング制御部１１（通知部１１３）による双方向の受話音量通知は、送話側電話装置１０ａと受話側電話装置１０ｂとの間で定期的に繰り返し実行される（ステップＳ１０４）。なお、ステップＳ１０４の受話音量通知処理の間、送話側電話装置１０ａにおいて、快適度判定部２１により判定された受話音量、あるいは調整された受話音量が、快適か不快か、あるいはその大小を矢印で表示器３０に表示してもよい（ステップＳ１０５）。表示に限らず、ランプ、音、振動による報知も考えられる。
【００３７】
なお、受話側電話装置１０ｂは、音量調整ボタン２０のＵＰ／ＤＯＷＮ操作により手動によっても受話音量調整が可能である。ここで、そのＵＰ／ＤＯＷＮ操作による受話音量調整は、通知部１１３が、ＳＩＰプロトコルで規定されたセッション内での情報交換要求であるＩＮＦＯメソッドを使用し、調整した受話音量“ｒｅｃｖｌｅｖｅｌ＝ＵＰ”又は“ｒｅｃｖｌｅｖｅｌ＝ＤＯＷＮ”を通知する（ステップＳ１０６）。なお、この通知は不定期に実行される。
【００３８】
これを受けた送話側電話装置１０ａは、快適受話音量の上限又は下限になっているにもかかわらず受話側電話装置１０ｂで音量調整ボタン２０が操作されている場合、送話音量調整部１７を制御することにより、その快適受話音量を超えて自らの送話音量を調整する。また、自らの送話音量調整可能範囲で調整できない場合、自らの送話音量調整可能範囲を上限又は下限を超えて調整する。なお、ステップＳ１０６の受話音量通知処理の間、送話側電話装置１０ａにおいて、快適度判定部２１により判定された受話音量、あるいは調整された受話音量が、快適か不快か、あるいはその大小を矢印で表示器３０に表示してもよい（ステップＳ１０７）。
【００３９】
最後に、受話側電話装置１０ｂは、送話側電話装置１０ａにセッション終了要求を発行することにより、回線を切断して通話終了する（ステップＳ１０８）。このとき、シグナリング制御部１１は、切断部１１４が、送話側電話装置１０ａに対し、ＳＩＰプロトコルで規定されたＢＹＥメソッドを使用してセッションの終了を通知する。
【００４０】
（実施形態の効果）
本実施形態に係る電話装置１０によれば、送話側電話装置１０ａは、受話側電話装置１０ｂが音量調整に対応可能であるか否か、及び対応可能である場合に受話側電話装置１０ｂの快適受話音量について、受話側電話装置１０ｂに対し通話開始前に照会し、また、受話側電話装置１０ｂは、自身が音量調整に対応可能であるか否か、及び対応可能である場合に送話側電話装置１０ａの快適受話音量について、送話側電話装置１０ａに対して通話開始前に報知する仕組みを構築することにより、送話側電話装置１０ａは、受話側電話装置１０ｂの受話音量の快適受話音量を把握することができるため、受話側電話装置１０ｂに快適な受話音量で送話音声を聴取させることができる。
【００４１】
また、送話側電話装置１０ａは、受話側電話装置１０ｂの快適受話音量と測定された実受話音量とを対比し、受話音量が快適受話音量範囲となるように、自らの送話音量を自動及び／又は手動で調整することにより、受話側電話装置１０ｂに、より快適な音量で送話音声を聴取させることができる。したがって、受話側電話装置１０ｂが、自らの受話音量を自身で調整しても快適にならないような場合であっても送話側電話装置１０ａが送話音量を調整することにより、受話側電話装置１０ｂの快適受話音量を満足することができる。
【００４２】
また、受話側電話装置１０ｂにおいて、快適受話音量の上限又は下限になっているにもかかわらず音量調整ボタン２０が操作されているときは、その操作を送話側電話装置１０ａに通知し、送話側電話装置１０ａが快適受話音量を超えて自らの送話音量を調整することで、あるいは、送話側電話装置１０ａにおいて、自らの送話音量調整可能範囲で調整できない場合、自らの送話音量調整可能範囲を上限又は下限を超えて調整することにより、相手側の受話音量の調整幅以上の音量調整が可能になる。また、表示器３０に快適受話音量範囲を表示して送話者に快適度等を報知することにより、送話者は、快適受話音量を把握することができ、音量調整が容易になる。
【００４３】
なお、本実施形態に係る電話装置１０は、ＩＰ交換網７０を経由してＳＩＰ端末である送話側電話装置１０ａと受話側電話装置１０ｂとの間で通話を行うものとして説明したが、ＩＰ交換網に限らず、公衆電話交換網を介した固定電話同士の通話でもよい。
【００４４】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４５】
１０…電話装置
１０ａ…送話側電話装置
１０ｂ…受話側電話装置
１１…シグナリング制御部
１１１…照会部
１１２…報知部
１１３…通知部
１１４…切断部
１２…設定記憶部
１３…パケット送受信部
１４…受話音量測定部
１５…受話音量値送信部
１６…受話音量調整部
１７…送話音量調整部
１８…音声送受信部
１９…ボタン検出部
２０…音量調整ボタン
２１…快適度判定部
３０…表示器
４０…スピーカ
５０…マイク
６０…ＬＡＮ
７０…ＩＰ交換網
【図１】
0006750334.tif 000002
【図２】
0006750334.tif 000003